【手続補正書】
【提出日】平成20年9月3日(2008.9.3)
【手続補正１】
【補正対象書類名】明細書
【補正対象項目名】００１５
【補正方法】変更
【補正の内容】
【００１５】
吸収式冷凍機は、大気中では、１００℃で蒸発する水が、高真空状態中では、低温（約５℃）でも蒸発する冷凍原理を利用して冷房運転を行わせるもので、前記吸収式冷凍機内を循環する吸収液を、室内へ循環する冷水が流通する冷水管に散布蒸発させて、吸熱することにより、冷房運転を行わせている。
【手続補正２】
【補正対象書類名】明細書
【補正対象項目名】００１６
【補正方法】変更
【補正の内容】
【００１６】
前記吸収式冷凍機の構造は、図１を参照して、吸収液の能力を再生するためにバーナ１５で加熱し、吸収液の水分を蒸発させ、液濃度を高め、吸水性を上げる働きの高温再生器１と、高温再生器１で濃縮した液体の吸収液を、高温再生器１で発生分離した水蒸気で再度加熱し、さらに液濃度を高める中温再生器２と、吸収器６から高温再生器１へ送る吸収液管の途中に設けられて中温再生器２で発生した水蒸気により吸収液の予熱を行う低温再生器３と、冷媒蒸気を冷却して液化させるため、内部に冷却水を通水する凝縮器管１４を設けた凝縮器４と、内部を真空とし、負荷側への熱搬送を行う冷水を通水する冷水管１３を設け、凝縮器４冷却された冷媒をこの冷水の通る冷水管１３に散布し蒸発させ、冷水からの吸熱を行わせて熱伝達を行い、吸収式冷凍機の出力としての冷水を発生させる蒸発器５と、蒸発器５で再度蒸発した水蒸気を高温再生器１および中温再生器２で濃縮させた吸収液に溶解させる吸収器６の主に６つの部位から構成され、この他、吸収式冷凍機の能率を上げるため、吸収器６から低温再生器３へ送られる吸収液の補助加熱を行う低温熱交換器７と、低温再生器３から高温再生器１および中温再生器２へ送られる吸収液の再加熱の補助を行う中温熱交換器８や、高温熱交換器９や、この吸収液の循環を行う吸収液ポンプ１０および１１や、冷媒ポンプ１２と、この吸収式冷凍機運転のための中央制御盤からの運転信号や、高温再生器温度センサ１６を始めとする各部温度の検知を行う温度センサからの温度データを取り込み、高温再生器１のバーナ１５の燃焼火力調節や、各ポンプや各制御弁の開度調節の信号を演算出力している制御盤２０で構成されている。
【手続補正３】
【補正対象書類名】明細書
【補正対象項目名】００２３
【補正方法】変更
【補正の内容】
【００２３】
そして、図示はしていないが、この集中制御装置５０に接続された、中央制御装置からの運転信号の受信あるいは、集中制御装置５０の盤面にある運転スイッチが操作され、運転開始が指示されたと判断されると（Ｓ４）、前記温度差Ｔｄｉｆから空調負荷の算出が行われ（Ｓ５）、運転開始の指示が無いと判断されると、ステップＳ１へ戻り、このフローチャートを繰り返す。
【手続補正４】
【補正対象書類名】明細書
【補正対象項目名】００２４
【補正方法】変更
【補正の内容】
【００２４】
ステップＳ５で空調負荷が算出されると、故障した吸収式冷凍機の有無の確認が行われ（Ｓ６）、故障機があれば、それを除いた吸収式冷凍機全てを選択し、故障機が無ければ、伝送経路５１に接続された全ての吸収式冷凍機を選択する（Ｓ８）。そして、ステップＳ５で演算した空調負荷に対する能力を各吸収式冷凍機の定格運転能力に応じて同じ割合に能力を分配するが（Ｓ９）、吸収式冷凍機に使用されているバーナの燃焼制御が可能な範囲は、機種にもよるが、１００％から約２５％程度までで、それ以下は、オンオフでの制御となってしまう（ターンダウン領域）。このため、一旦、各吸収式冷凍機への分配能力が、前記燃焼制御が可能な領域であるか否かの判断を行い（Ｓ１０）、もし、いずれかの吸収式冷凍機が、このターンダウン以下の運転領域となってしまう場合、この吸収式冷凍機を除いて（Ｓ１１）、再度、ステップＳ９の空調負荷に対する各吸収式冷凍機の運転能力の配分を算出して、再度、ターンダウン以下の運転領域となってしまう吸収式冷凍機が無いことを確認する。
【手続補正５】
【補正対象書類名】明細書
【補正対象項目名】００２５
【補正方法】変更
【補正の内容】
【００２５】
そして、ステップＳ９で最終的に選択された吸収式冷凍機へ、その運転能力と、運転開始の指示を送信し（Ｓ１２）、ステップＳ３で算出した温度差ＴｄｉｆをメモリＴｂに保存し（Ｓ１３）、タイマーａをリセットして（Ｓ１４）、ステップＳ１へ戻り、これを繰り返す。
【手続補正６】
【補正対象書類名】明細書
【補正対象項目名】００２６
【補正方法】変更
【補正の内容】
【００２６】
また、ステップＳ１で運転中であると判断されると、停止信号の有無の確認を行い（Ｓ１５）、停止信号があれば、運転中の吸収式冷凍機の停止動作を行い（Ｓ１６）、停止信号が無ければ、新たに故障した吸収式冷凍機の有無を確認し（Ｓ１７）、前記新たに故障した吸収式冷凍機があれば、上記ステップＳ７へ進み、前記新たな故障した吸収式冷凍機が無ければ、台数制御のフローチャートへ進み（Ｓ１８）、台数制御を行う。
【手続補正７】
【補正対象書類名】明細書
【補正対象項目名】００２８
【補正方法】変更
【補正の内容】
【００２８】
そして、運転中の吸収式冷凍機の高温再生器温度Ｔｋが１６０℃未満であるか否かを判断し（Ｓ２２）、１台でもこの１６０℃以上であれば、ステップＳ２９へ進み、停止中の吸収式冷凍機に運転指示を送り、運転を開始させる。
【手続補正８】
【補正対象書類名】明細書
【補正対象項目名】００２９
【補正方法】変更
【補正の内容】
【００２９】
もし、全ての運転中の吸収式冷凍機の高温再生器温度Ｔｋが、１６０℃未満であれば、今度は、この高温再生器温度Ｔｋが、１５０℃未満であるか否かの判断が行われ（Ｓ２３）、１台でもこの１５０℃以上の吸収式冷凍機があれば、ステップＳ２７へ進み、全ての運転中の吸収式冷凍機の高温再生器温度Ｔｋが、１５０℃未満であれば、次に、この高温再生器温度Ｔｋが、１３０℃未満であるか否かの判断を行う（Ｓ２４）。
【手続補正９】
【補正対象書類名】明細書
【補正対象項目名】００３０
【補正方法】変更
【補正の内容】
【００３０】
全ての運転中の吸収式冷凍機の高温再生器温度Ｔｋが、この１３０℃以上であれば、運転台数の増減は行わず、ステップＳ３０へ進み、１台でも１３０℃未満の吸収式冷凍機があれば、ステップＳ２１で算出した温度差Ｔｄｉｆが、負の数値であるか否かを判断し（Ｓ２５）、この温度差Ｔｄｉｆが、正の数値であれば、ステップＳ３０へ進む。
【手続補正１０】
【補正対象書類名】明細書
【補正対象項目名】００３１
【補正方法】変更
【補正の内容】
【００３１】
これに対し、温度差Ｔｄｉｆが、負の数値であれば、上記ステップＳ２１での計算式からも解る様に、前記温度差Ｔｄｉｆは、冷水温度の平均値Ｔｉｂと設定温度Ｔｓとの差の温度であり、つまり、冷水温度が、設定温度Ｔｓ以下になっていることを示しているため、運転している吸収式冷凍機のうち１台の吸収式冷凍機に停止信号を送り、停止させる（Ｓ２６）。
【手続補正１１】
【補正対象書類名】明細書
【補正対象項目名】００３２
【補正方法】変更
【補正の内容】
【００３２】
また、上述のステップＳ２３で、１台でもこの１５０℃以上であれば、タイマーａがタイムアップしているか否かが判断される（Ｓ２７）。ここで、タイマーａは、一定時間毎にカウントアップするフリーランタイマーである。
【手続補正１２】
【補正対象書類名】明細書
【補正対象項目名】００３３
【補正方法】変更
【補正の内容】
【００３３】
このタイマーａが、タイムアップしていなければ、ステップＳ２０に戻り、タイムアップしていれば、ステップＳ２１で算出した温度差Ｔｄｉｆと、前回算出し、メモリＴｂに保存しておいた温度差Ｔｂとの差を確認する（Ｓ２８）。もし、今回算出した温度差Ｔｄｉｆが前回算出した温度差Ｔｂを上回っていれば、空調負荷が増加したとの判断を行い、いずれかの停止中の吸収式冷凍機に運転指示を送り、運転を開始させる（Ｓ２９）。
【手続補正１３】
【補正対象書類名】明細書
【補正対象項目名】００３４
【補正方法】変更
【補正の内容】
【００３４】
そして、算出した温度差Ｔｄｉｆの値をメモリＴｂに保存して（Ｓ３０）、タイマーａをリセットして（Ｓ２１）、ステップＳ１へ戻り、このフローチャートの判断や、演算を繰り返す操作を行う。